(57)【要約】      （修正有）【課題】雨が降っても洗濯物が濡れる心配のない洗濯物干し用ハンガーを提供すること。【解決手段】衣類などの洗濯物干し用ハンガーであって、ハンガーの上部には湿気および雨よけカバーが取り付けられ、降雨前および降雨時、湿気および雨よけカバーが空気中の湿気および雨水を感知して自動的に落下し、洗濯物の周囲を湿気および雨よけカバーが覆い、洗濯物を湿気および雨から防ぐことのできる洗濯物干し用ハンガー。【選択図】図３
2006158464.tif 000002
【特許請求の範囲】
【請求項１】
衣類などの洗濯物干し用ハンガーであって、ハンガーの上部には湿気および雨よけカバーが取り付けられ、降雨前および降雨時、湿気および雨よけカバーが空気中の湿気および雨水を感知して自動的に落下し、洗濯物の周囲を湿気および雨よけカバーが覆い、洗濯物を湿気および雨から防ぐ機能を有する洗濯物干し用ハンガー。
【請求項２】
請求項１において、湿気および雨よけカバーが自動的に落下する機能は、空気中の湿気や雨水などからの水分の吸収によって、強度が低下する、紙、布、ゴム、革などの材料からなる水分感知端子用い、その水分感知端子を洗濯物干し用ハンガーに取り付け、その水分感知端子の水分吸収による変形を利用して、湿気および雨よけカバーを自動的に落下させることを特徴とした、請求項１記載の洗濯物干し用ハンガー。
【請求項３】
請求項１において、湿気および雨よけカバーが自動的に落下する機能は、空気中の湿気や雨水などの水分によって膨潤する紙、布、ゴム、革などの基材と、金属、樹脂などの吸水の少ない基板とを貼り合わせた水分感知端子を洗濯物干し用ハンガーに取り付け、その水分感知端子の水分吸収による変形を利用して、湿気および雨よけカバーを自動的に落下させること特徴とした、請求項１記載の洗濯物干し用ハンガー。
【請求項４】
請求項１において、湿気および雨よけカバーが自動的に降下する機能は、吸水によって摩擦係数が小さくなる材料を、洗濯物干しハンガーの外周とその外側に設けたカバー枠との間に取り付け、空気中の湿度の上昇時や降雨時には、湿気および雨よけカバーが摩擦力の低下により自然に洗濯物干し用ハンガーから開放され、湿気および雨よけカバーが自動的に落下すること特徴とする、請求項１記載の洗濯物干し用ハンガー。
【請求項５】
請求項１において、洗濯物干し用ハンガーには、湿気や雨水などの水分を感知するセンサーと、センサーに接続された電池、バイメタル端子を有し、バイメタル端子の熱変形によって、湿気および雨よけカバーが洗濯物干し用ハンガーから自動的に落下する機能を有する、請求項１記載の洗濯物干し用ハンガー。
【請求項６】
請求項１において、洗濯物干し用ハンガーの上部に、高分子材料や金属などからなる板、布、フィルムを取り付けた構造の、湿気および雨から防ぐための屋根を設けたことを特徴とする、請求項１記載の洗濯物干し用ハンガー。
【発明の詳細な説明】
【技術分野】
【０００１】
本発明は、湿気および雨よけカバー付き洗濯物干し用ハンガーに関するものである。
【背景技術】
【０００２】
従来、洗濯物干し用ハンガーの構造は、角型、円形型などの枠に洗濯バサミが取り付けられて、軒下や屋外に吊り下げて使用される。通常洗濯物干し用ハンガーには吊り下げ用の鎖とフックを有し、このフックを用いて物干し棹などに吊り下げられる。洗濯物干し用ハンガーは、急に雨が降り出した場合などは、このフックを物干し棹から外して屋内に取り込むなどして、乾燥した洗濯物が濡れてしまうのを防いでいる。しかし家を留守にする場合や、留守でない時でも降雨に気が付かない場合などは、せっかく乾いた洗濯物が濡れてしまうことがしばしばである。
【０００３】
このため、天候に左右されて洗濯物を外に出したり、室内に取りこんだりの手間を省くために、雨よけ用洗濯物干しカバーの名称で下記の特許が出願されている(図)１。
【特許文献１】特開２０００−３５０８９９
【０００４】
この特許は角型洗濯物干し２を覆うように、雨よけカバー（ビニール、ポリエチレン等防水材１）を取り付けるものである。この雨よけカバーは、洗濯物干し用ハンガーの全体を覆っているために、雨が降っても洗濯物が濡れる心配はない。
【０００５】
しかしながらこの従来例では、雨よけカバーが始めから洗濯物干し用ハンガー全体を覆っているために、風通しが悪く、雨よけカバーなしの構造と比較して洗濯物が乾きにくい欠点がある。特に雨よけカバーはビニール、ポリエチレンなどからなり、空気を通さない材料からなっている。またこの出願例では、洗濯の度に、洗濯物干しハンガーに雨よけカバーを被せなければならないことや、洗濯物を取り込む時にもまた、雨よけカバーを外さなければならないなどの煩わしさがある。
【発明の開示】
【発明が解決しようとする課題】
【０００６】
発明が解決しようとする課題は、背景技術で述べた欠点を解消することにあり下記の通りである。
１）雨よけカバーによる洗濯物が乾きにくい欠点をなくすこと。
２）洗濯物を干す時に、雨よけカバーを被せる手間を省くこと。
３）洗濯物を取りこむ時に、雨よけカバーを取り外す煩わしさを無くすこと。
【発明の効果】
【０００７】
本発明の効果は下記の通りである。
１）雨よけカバーがありながら、洗濯物が従来の雨よけカバーなしの洗濯物干し用ハンガーと同じように乾き、また雨が降っても雨に濡れる心配がない。
２）洗濯の都度、雨よけカバーを洗濯物干しハンガーに被せる必要がない。
３）洗濯物を取り込む時、雨よけカバーを洗濯物干し用ハンガーから取り外す必要がない。
４）雨よけカバーと洗濯物干し用ハンガーは一体になっており、雨よけカバーを別に保管する必要がない。
５）雨のみでなく、夕方など気温の低下で相対湿度が急に上がった時など、空気中の湿気からも洗濯物を防ぐことができる。
【発明を実施するための最良の形態】
【０００８】
発明の最良の形態を図２により説明する。図２はリング型洗濯物干しハンガーに湿気および雨よけカバー８を取り付けた構造の断面図である。本発明は湿度が高くなった時や、雨が振り始めた時にのみ、湿気および雨よけカバーが落下してハンガーを覆う点、図１の従来例とは大きく異なっている。湿気および雨よけカバーには、厚さが薄く柔軟な、布、不織布、ポリエチレン、塩化ビニールなどを用いることができる。
図２（ａ）の洗濯物干し用ハンガー３には、ハンガー本体４の外周にカバー枠７があり、このカバー枠７の周囲には、湿気および雨よけカバー８の一端が接着などにより取りつけられており、また方端は、ハンガー本体４の周囲に取り付けられている。ハンガー本体４の周りには水分感知端子５があり、またカバー枠の周囲には端子受け部６がある。図２（ｂ）は洗濯物干し用ハンガーを上部から見た図を示している。この図では、水分感知端子５を4個有する場合を示している。ハンガー本体４の上部には、上部カバー８Ａがある。この上部雨カバー８Ａには、高分子材料や金属からなる板などを用いることができるが、ハンガー内部が見えるように、例えば厚さの薄い１．０ｍｍ程度の透明なプラスチックの板が好ましい。上部カバーは例えば接着剤などで、ハンガー本体４の上部に接着して取り付ける。
【０００９】
水分感知端子５は、例えば湿分や雨滴で柔らかくなり、曲げ強度が低下し、かつ膨潤する紙、布、ゴムなど、またはこれらの材料と他の材料との張合わせ材料からなっている。空気中の湿分が多くなったり、さらには雨が降り始めると、水分感知端子５の紙、布、ゴムなどは水分を吸収し膨潤する。このため水分感知端子は下方向に変形し、さらにまた水分の吸収により水分感知端子の曲げ強度が低下するために、水分感知端子はさらに下方に垂れ下がる。水分感知端子が、カバー枠７と湿気および雨よけカバーの重量に耐えきれなくなった時、カバー枠と湿気および雨よけカバーは落下し、洗濯物が雨に濡れるのを防ぐことができる。図２で、湿気および雨よけカバーはリング型洗濯物干しハンガーの円周全体を覆う構造になっているが角型でも構わない。図３にはカバー枠と湿気および雨よけカバーが落下した時の断面図を示している。洗濯物全体が、落下した湿気および雨よけカバーによって覆われている。
【実施例１】
【００１０】
実施例１を図４および図５により説明する。図４は水分感知端子５の断面を示している。（ａ）は水分感知端子を取り付けた状態を、（ｂ）は水分感知端子が水分を吸収して垂れ下がった状態を、また（ｃ）は水分感知端子がカバー枠から外れた状態を示している。水分感知端子５は、例えば水分感知端子固定ネジ１３で水分感知端子取り付け台１２に固定するか、または接着剤などで貼りつけても構わない。また水分感知端子は、取り扱いで折れ曲がりなどの変形が起こる場合があるので、水分感知端子のスペア部品を用意し、交換を容易にすると便利である。交換を容易にするには、固定ネジまたは水分感知端子固定台に水分感知端子を挟みこむスリットを設けて、簡単に交換できるようにすると、さらに便利である。水分感知端子は図２のように4個取り付けても良いが、２個または３個でも構わない。または１個のみを水分感知端子とし、他を単なる端子板としても良い。１個の水分感知端子が端子受け部から外れると、他の端子板もその衝撃で端子受け部から外れる。
【００１１】
図５は水分感知端子の断面構造を示している。まず水分感知板１４を用意する（図５（ａ））。この水分感知端子には、紙、布、ゴムなどを用いることができる。厚さは例えば０．１ｍｍから１．０ｍｍの範囲が好ましい。実験結果、紙は特に水分を吸収しやすく、水滴の落下で瞬時に水が紙に吸収された。また紙の材質によって吸水性は異なり、画用紙や工作用紙または障子紙などはより水を吸収しやすい。布では綿布は吸水性に優れる。さらにゴムではネオプレン、シリコーンなどショア硬度４０程度の柔らかいゴムが適している。
【００１２】
次に水分感知板貼付け板１５を用意する（図５（ｂ））。水分感知板貼付け板には例えば、塩化ビニール、ポリカーボネート、ポリエステルなどの樹脂板、または銅、アルミニウム、ステンレスなどの金属の板を用いることができる。厚さは例えば０．１ｍｍ〜０．３ｍｍ程度が好ましい。この水分感知板貼り付け板を水分感知板と貼り合わせると、水分感知端子ができる。
貼り合わせは、エポキシ樹脂系、シリコーンゴム系、ブチルゴム系、天然ゴム系などの接着剤を用いて行なう。図５（ｃ）は水分感知端子の断面図を示している。水分感知端子の大きさは、例えば幅が１０ｍｍ〜３０ｍｍ、長さが２０ｍｍ〜４０ｍｍ程度である。また厚さは０．２〜１．３ｍｍ程度である。厚さと大きさは、湿気および雨よけカバーとカバー枠の重量を支えることのできる最適な強度になるように選定する。
【００１３】
図５（ｃ）に示すように水分感知端子の断面は、乾燥状態では水分感知板を上にした凹曲面になる。これは、紙などの水分感知板１４が乾燥状態では収縮するためである。水分感知板を水分感知貼付け板に接着後、水に濡らして一度乾燥させるとより変形が大きくなる。また図５（ｄ）は水分感知板貼付け板を下にした凸曲面を示している。水分感知板は水分を吸収すると膨潤するのに対して、水分感知板貼付け板は水分によって膨張しないため、水分感知端子は水分感知板貼り付け板側に曲がり図５（ｄ）のように変形する。
【００１４】
図５（ｅ）は、水分感知端子が大きく変形した断面図を示している。水分感知端子は、それ自身の水分吸収による変形と、湿気および雨よけカバーとカバー枠の重さによって、大きく変形し垂れ下がる。このことによってカバー枠はハンガー本体から外れて落下する。
【００１５】
湿気および雨よけカバーの落下により、洗濯物は雨に濡れず、洗濯物を慌てて取りこむ必要がなくなるばかりでなく、雨を気にせずに外出が可能になる。また実験結果、降雨時のみでなく夕方の気温の低下時には空気中の相対湿度が上昇し、水分感知端子が変形し湿気および雨よけカバーが落下することが確認できた。特に水分感知端子に紙とプラスチック板の貼り合わせ材料を用いた場合に感度が高く、夕方日没後一時間以内で雨よけカバー枠が落下する。このため、夜遅く帰宅しても洗濯物が夜気に触れることなく、洗濯物を取り込むまでの間、洗濯物を乾燥状態に維持することができる。
【００１６】
実施例１では、水分感知端子に水分を吸収し膨潤する材料と、水分の吸収が少なく膨潤しない材料との貼り合わせ材料を用いたが、水分を吸収して強度が低下する材料のみからなる、水分感知端子でも構わない。水分の吸収によって強度が低下する材料には、紙、布、革、またはゴムなどがある。
【実施例２】
【００１７】
実施例２を図６（ａ）により説明する。図６（ａ）は水分感知端子を水分感知弾性体１６とした場合である。水分感知弾性体１６には、例えば吸水性の高いウレタンゴムスポンジなどがある。水分感知弾性体は雨水を吸収すると、柔らかくなるばかりでなく、ハンガー本体４とカバー枠７との間の摩擦係数が低下する。このために滑りやすくなり、カバー枠と湿気および雨よけカバーが落下する。水分感知弾性体は、カバー枠の落下時外れないよう、カバー枠、またはハンガー本体のどちらか片方に接着剤などで固定すると良い。
【実施例３】
【００１８】
実施例３を図６（ｂ）で説明する。実施例３は水分感知バネ１７をハンガー本体とカバー枠の間に設けたものである。水分感知バネ１７は、水分を吸収する前は図６（ｂ）のようにハンガー本体側に反っているが、水分の吸収によって逆にカバー枠の側に反る。ハンガー本体にはバネ受け１８があって、水分を吸収した水分感知バネはこのバネ受けから外れるため、カバー枠と湿気および雨よけカバーは落下する。この水分感知バネ１７は、図５で示した水分感知端子と同様のものが使用できる。
【実施例４】
【００１９】
実施例４を図７により説明する。図７は電気的にバイメタル２３を作動させる方式である。雨が降ると水分感知導電体１９が吸水して、電池２０からの電流が配線２２を通してバイメタルに流れる。バイメタルは、例えば銅と鉄などの線膨張係数の異なる２枚の金属の板が貼り合わされた材料からなっている。このため線膨張係数の大きな板の方に電流が流れると、線膨張係数の大きな方の板が加熱されて伸び、バイメタルはハンガー本体側に反る。このためカバー枠７がストッパー２１から外れ、カバー枠と湿気および雨よけカバーは落下する。線膨張係数の小さな板側は、例え温度が熱伝導で伝わっても伸びが小さい。水分感知導電体１９は乾燥すると絶縁体に戻り、電流は流れなくなる。水分感知導電体には、例えば紙などを用いる。特に再生紙は、吸水によって紙に含まれる塩類が溶出し電気伝導性が増す。
【００２０】
実施例４では電気的な水分感知端子としてバイメタルを用いたが、水分を電気的に感知できる方式であれば、他の方法でも構わない。水分を感知して動作する他の電気的な方法としては、水分の吸収によって変形し、それによって電気接点を開閉する方式などがある。
【産業上の利用可能性】
【００２１】
本発明は従来の洗濯物干し用ハンガーに、自動落下方式の湿気および雨よけカバーを取り付けたものである。従って産業的には、すでにあるハンガーの付属として実用性が高い。
【図面の簡単な説明】
【００２２】
【図１】従来技術の雨よけ洗濯物干しカバー
【図２】本発明の湿気および雨よけカバー落下機能付き洗濯物干し用ハンガー
【図３】本発明の湿気および雨よけカバー落下機能付き洗濯物干し用ハンガー（湿気および雨よけカバー落下時）
【図４】本発明の水分感知端子
【図５】本発明の水分感知端子の機能説明図
【図６】本発明の水分感知端子の構造
【図７】本発明の電気式水分感知端子の構造
【符号の説明】
【００２３】
１  ビニールポリエチレン等防水材  ２角型洗濯物干し  ３洗濯物干し用ハンガー  ４ハンガー本体  ５水分感知端子  ６端子受け部  ７カバー枠  ８湿気および雨よけカバー  ９洗濯バサミ  １０フック  １１ハンガー吊り  １２水分感知端子取り付け台  １３水分感知端子固定ネジ  １４水分感知板  １５水分感知板貼付け板  １６水分感知弾性体  １７水分感知バネ  １８バネ受け  １９水分感知導電体  ２０電池  ２１ストッパー  ２２配線  ２３バイメタル
【図１】
2006158464.tif 000003
【図２】
2006158464.tif 000004
【図３】
2006158464.tif 000005
【図４】
2006158464.tif 000006
【図５】
2006158464.tif 000007
【図６】
2006158464.tif 000008
【図７】
2006158464.tif 000009